(57)【要約】      （修正有）【課題】簡略な構造で、軽量で、折り畳んでコンパクトにすることが出来、軽微な作業を行うための高所への昇降用具を提供する。【解決手段】断面を円形とする軸５を三角形状に固着し、脚１に昇降用ステップ２を適当な間隔で固着し、脚１の一端に内径が軸５の直径よりやや大きい円筒状金具３をＴ字状に固着し、支柱４、４の一端に内径が軸５の直径よりやや大きい円筒状金具３をＴ字状に固着し、脚１の円筒状金具３及び支柱４、４の円筒状金具３、３を軸５に回動自在に固着した三脚状高所昇降用具とした。【選択図】図１
2016089596.tif 000002
【特許請求の範囲】
【請求項１】
断面を円形とする軸５，５，５を三角形状に固着し、脚１に昇降用ステップ２を適当な間隔で固着し脚１の一端に内径が軸５の直径よりやや大きい円筒状金具３をＴ字状に固着し、支柱４、４の一端に内径が軸５の直径よりやや大きい円筒状金具３をＴ字状に固着し、脚１の円筒状金具３及び支柱４、４の円筒状金具３、３を軸５、５，５に回動自在に固着したことを特徴とする三脚状高所昇降用具
【請求項２】
脚１、１の円筒状金具３，３及び支柱４の円筒状金具３を軸５、５，５に回動自在に取り付けたことを特徴とする請求項１記載の三脚状高所昇降用具
【請求項３】
脚１、１、１の円筒状金具３，３、３を軸５、５，５  に回動自在に取り付けたことを特徴とする請求項１記載の三脚状高所昇降用具
【請求項４】
脚１の先端部に固着した円筒状金具３に脚１の軸方向と概略９０度の角度かつ円筒状金具３と約９０度の角度でストッパーＡを固着したことを特徴とする請求項２及び３記載の三脚状高所昇降用具
【請求項５】
脚１の先端部に円筒状金具３を装着した軸５の両端にまたがるコの字状のストッパーＢを固着したことを特徴とする請求項２及び３記載の三脚状高所昇降用具
【請求項６】
脚１と支柱４にロッド支持金具９と掛止受金具１０を固着し、一端にロッド掛止部８を設けたロッド６の他端にロッド支持部７を設け、ロッド支持金具９にロッド支持部７を回動自在に取り付けたこと特徴とする請求項１ないし５記載の三脚状高所昇降用具
【請求項７】
脚１と支柱４に複数個の掛止受金具１０を設けたことを特徴とする請求項１ないし６記載の三脚状高所昇降用具
【請求項８】
ロッド６にロッド掛止部８を複数個設けたことを特徴とする請求項１ないし６記載の三脚状高所昇降用具
【請求項９】
脚１と支柱４にクサリ１３及びクサリ掛止部１４を取り付けたことを特徴とする請求項１ないし５記載の三脚状高所昇降用具
【発明の詳細な説明】
【技術分野】
【０００１】  本発明は軽微な作業をするために高所に登ったり降りたりする三脚状高所昇降用具に関する
【背景技術】
【０００２】  従来軽微な作業を行うために高所へ昇降する用具はなかった。高所へ昇降する用具としては、はしご、脚立、園芸用三脚などがあったが、これらは工具や用具を使用して規模の大きい重要な作業を行うためのものであり頑強な構造となっておりそのため形状も大きく重量も重いものとなっていた。
【発明の概要】
【発明が解決しようとする課題】
【０００３】  上記のように従来高所で軽微な作業を行う高所昇降用具がなかったためにどんな軽微な作業を行う場合でも大規模作業のできるはしご、脚立、園芸用三脚などを使わなければならず軽微な作業を行うにしては過大な準備作業が必要であり昇降用具の運搬、設置に大きな労力を使わなければならず大変不便なものであった。【０００４】  本発明はこのような従来の不便な問題点を解決しようとするものであり、構造を簡略化し折りたためばコンパクトになるため収納場所も簡単に確保することが出来、使用する場合にも容易に運搬や設置を行うことが出来ることを目的とするものである。
【課題を解決するための手段】
【０００５】  そして本発明は上記の目的を達成するために、断面を円形とする軸５，５，５を三角形状に固着し、脚１に昇降用ステップ２を適当な間隔で固着し、脚１の一端に内径が軸５の直径よりやや大きい円筒状金具３をＴ字状に固着し、支柱４、４の一端に内径が軸５の直径よりやや大きい円筒状金具３をＴ字状に固着し、脚１の円筒状金具３及び支柱４、４の円筒状金具３、３を軸５，５、５に回動自在に固着したものである（図１、２）。【０００６】  また、第２の課題解決手段は、脚１、１の円筒状金具３、３及び支柱４の円筒状金具３を軸５、５，５に回動自在に固着し（図３図４）、あるいは又脚１，１，１の円筒状金具３，３，３を軸５，５，５に回動自在に固着したものである（図５，６）。【０００７】  第３の課題解決手段は脚１の円筒状金具３にストッパーＡを固着し、あるいは又軸５にストッパーＢを固着したものである（図７〜１０）。【０００８】  第４の課題解決手段は脚１と支柱４をロッド６により開脚固定とし、掛止受金具１０又はロッド掛止部８を複数個設けたものである（図１３、１５）。【０００９】  上記第１の課題解決手段による作用は次のとおりである。脚１と支柱４，４を各々独立して構成し、脚１に昇降用ステップ２を設けたので従来の昇降用具における横踏板がなくなり軽量かつコンパクトにすることができる。このようにしたので格納しておく場合でも場所を容易に選ぶことができ、運搬にも軽量かつコンパクトであるから扱いやすく更に設置する場合でも脚１支柱４，４が各々独立しているため設置場所に障害物があったり地面に凹凸がある場合でも容易に設置することができる。【００１０】  また、第２の課題解決手段による作用は脚１、１と支柱４又は脚１，１，１としたので昇降用ステップを２倍、３倍と増やしたことになり作業可能範囲が２倍、３倍と増えたことで設置した本高所昇降用具を移動させることなく広範囲の場所における軽微な作業をすることができる。【００１１】第３の課題解決手段による作用は脚１の円筒状金具３にストッパーＡを又は軸５にコの字状のストッパーＢを設けたので本用具をハシゴ状として使用することができるので更に高所の軽微な作業を行うことが可能となる。【００１２】  第４の課題解決手段による作用は脚１及び支柱４相互間をロッド６により掛止して開脚固定し更にロッド６に複数個のロッド掛止部８を、脚１及び支柱４に複数個の掛止受金具１０を設けたので脚１及び支柱４相互間の開度巾を固定し又調整することが出来るため、設置すべき場所に障害物があったり地面に傾斜や凹凸がある場合でも開度を変更し調整することにより容易に希望するところへ設置することが出来る。
【発明の効果】
【００１３】  脚１及び支柱４を折りたたむと棒状となり非常にコンパクトとなる。このため格納の場所を容易に確保できる。更に運搬も容易に行うことが出来、使用個所に設置する場合障害物があっても脚１及び支柱４の間隔を調整しながら設置することにより、容易に希望する個所へ設置することが出来る【００１４】  そして軽量、コンパクトであるため軽微な作業を行う場合に、従来のような重作業を行う時に使用する重量も重く形状も大きな用具を使用することなく軽微な作業に見合った準備行動を行うことができる。
【図面の簡単な説明】
【００１５】
【図１】本発明の脚１本、支柱２本とした場合の展開図
【図２】同実施状態の斜視図
【図３】本発明の脚２本、支柱１本とした場合の展開図
【図４】同実施状態の斜視図
【図５】本発明の脚３本とした場合の展開図
【図６】同実施状態の斜視図
【図７】同脚の円筒状金具にストッパーＡを設けた斜視図
【図８】同ストッパーＡが軸に接するまで開脚使用している斜視図
【図９】同軸にコの字状のストッパーＢを設けた斜視図
【図１０】同脚がストッパーＢに接するまで開脚使用している斜視図
【図１１】同脚がストッパーＢに接するまで開脚使用している側面図
【図１２】同コの字状ストッパーＢの部分拡大の側面図
【図１３】同ロッドによる脚支柱相互の掛止装置の部分拡大図
【図１４】掛止受金具による開脚巾調整の説明図
【図１５】ロッド掛止部を複数個設置の部分拡大説明図
【図１６】ロッド掛止部による開脚巾調整の説明図
【図１７】掛止装置としてクサリを使用した場合の部分拡大略図
【発明を実施するための最良の形態】
【００１６】  以下、本発明の実施の形態を図１〜図１７に基づいて説明する。
１は脚であり４は支柱であり、脚１を１本と支柱４を２本（図２）又脚１を２本と支柱４を１本（図４）あるいは又脚１を３本（図６）において各々の円筒状金具３を三角形状の軸５に回動自在に固着してある。【００１７】  脚１及び支柱４にはロッド支持金具９及び掛止受金具１０を設けてありロッド支持金具９にはロッド掛止部７によってロッド６が回動自在に固着してある。（図１３）【００１８】  また脚１及び支柱４には掛止受金具１０を複数個設けてあり（図１３）あるいは又ロッド６にロッド掛止部８を複数個設けてある（図１４）（図１６）【００１９】  脚１の円筒状金具３に脚１の軸方向と約９０度の角度でストッパーＡを設け、（図７）（Ｈ８）あるいは又軸５にコの字状のストッパーＢを設けてある。（図９）
【実施例１】
【００２０】  図１、図２は実施例１を示す。図１は展開図であり図２は使用状態とした斜視図である。脚１を１本、支柱４を２本とし、脚１と支柱４の先端に設けた円筒状金具３を三角形状に構成した軸５により連結してある。脚１には昇降用ステップ２を適当な間隔で設けてありこのステップを使って高所へ昇ることができる。
【実施例２】
【００２１】  図３〜６は実施例２を示すものであり図３、４は脚１を２本、支柱４を２本としたものであり図５、６は脚１を３本としものである。このようにしたので高所で軽微な作業を行うことができる範囲を２倍３倍に増やしたことになり、本用具を移動させることなく広範囲で作業ができるため本用具を移動して設置しなおすという手間がなくなり、便利に使用することができる。
【実施例３】
【００２２】  図７〜１２は実施例３を示す。図７、８は脚１の先端に設けた円筒状金具３に脚１の軸方向と約９０度の角度でストッパーＡを固着してあるので三脚として使用する状態から更に大きく開いてストッパーＡが軸５に接するまで開くと、側面から見て脚１と支柱４が概略一直線状となり梯子として使用することが出来る。【００２３】  図９、１０は軸５にコの字状のストッパーＢを固着したものであり、三脚としての使用状態から脚１を大きく開いてストッパーＢに脚１が接するまで開くと脚１と支柱４が略一直線状となり梯子として使用することが出来る。実施例３ではこのように更に高所の軽微な作業を行うことが可能となる。
【実施例４】
【００２４】  図１４、１６は実施例４を示す。通常において三脚として使用する場合はロッド６により脚１及び支柱４相互間を開脚固定した状態で使用する。この場合図１４では支柱４に掛止受金具１０を複数個設けることにより開脚巾を適当に選ぶことができるので障害物がある場所や凹凸、傾斜の所でも容易に設置が可能となる。ここで掛止装置としてクサリを使用しても作用、効果は同じである。（図１７）
【符号の説明】
【００２５】１  脚                ８  ロッド掛止部
２  昇降用ステップ    ９  ロッド支持金具
３  円筒状金具        １０  掛止受金具
４  支柱              １１  ストッパーＡ
５  軸                １２  ストッパーＢ
６  ロッド            １３  クサリ
７  ロッド支持部      １４  クサリ掛止部
【図１】
2016089596.tif 000003
【図２】
2016089596.tif 000004
【図３】
2016089596.tif 000005
【図４】
2016089596.tif 000006
【図５】
2016089596.tif 000007
【図６】
2016089596.tif 000008
【図７】
2016089596.tif 000009
【図８】
2016089596.tif 000010
【図９】
2016089596.tif 000011
【図１０】
2016089596.tif 000012
【図１１】
2016089596.tif 000013
【図１２】
2016089596.tif 000014
【図１３】
2016089596.tif 000015
【図１４】
2016089596.tif 000016
【図１５】
2016089596.tif 000017
【図１６】
2016089596.tif 000018
【図１７】
2016089596.tif 000019